(57)【要約】【課題】アドホックな無線通信ネットワークのセキュリティレベルを向上させる。【解決手段】第１の通信範囲内で第１の無線通信を行う第１の通信部と、第１の通信範囲内であって、第１の通信範囲よりも狭い第２の通信範囲内で第２の無線通信を行う第２の通信部と、第１の無線通信の通信回線を確立するための設定情報を、第２の通信部を介して第１の通信範囲内に位置するデバイスに送信する送信部と、デバイスに送信した設定情報を用いて、デバイスとの間で第１の無線通信を行うための通信回線を確立する確立部とを有する。そして、第２の通信部が、デバイスとの間で第１の無線通信を行うための通信回線を確立後、通信回線に接続しているデバイスの位置に応じて、第２の通信範囲を調整する。【選択図】図１５
2017041753.tif 000002
【特許請求の範囲】
【請求項１】
第１の通信範囲内で第１の無線通信を行う第１の通信部と、
前記第１の通信範囲内であって、前記第１の通信範囲よりも狭い第２の通信範囲内で第２の無線通信を行う第２の通信部と、
前記第１の無線通信の通信回線を確立するための設定情報を、前記第２の通信部を介して前記第１の通信範囲内に位置するデバイスに送信する送信部と、
前記デバイスに送信した設定情報を用いて、前記デバイスとの間で前記第１の無線通信を行うための通信回線を確立する確立部とを有し、
前記第２の通信部は、前記デバイスとの間で前記第１の無線通信を行うための通信回線を確立後、前記通信回線に接続しているデバイスの位置に応じて、前記第２の通信範囲を調整すること
を特徴とする通信装置。
【請求項２】
前記第２の通信部は、当該第２の通信部を起点して算出した前記デバイスとの間の距離に応じて、前記第２の通信範囲を調整すること
を特徴とする請求項１に記載の通信装置。
【請求項３】
前記デバイスは、前記第２の通信部との間の受信強度を用いて、前記第２の通信部との間の距離を算出して、前記２の通信部に送信し、
前記第２の通信部は、前記デバイスで算出された前記距離に応じて、前記第２の通信範囲を調整すること
を特徴とする請求項１に記載の通信装置。
【請求項４】
前記第２の通信部は、前記デバイスとの間の受信強度を用いて算出した前記デバイスとの間の距離に応じて、前記第２の通信範囲を調整すること
を特徴とする請求項１に記載の通信装置。
【請求項５】
前記第２の通信部は、前記受信強度に対応する閾値を用いて、前記第２の通信範囲を調整すること
を特徴とする請求項３又は請求項４に記載の通信装置。
【請求項６】
前記デバイスが、前記第２の通信範囲外に移動した場合に、前記デバイスとの間で確立した第１の無線通信を切断する切断部と、をさらに備えること
を特徴とする請求項１から請求項５のうち、いずれか一項に記載の通信装置。
【請求項７】
前記第２の通信部は、ビームフォーミング技術を用いて、前記第２の通信範囲を前記デバイスが位置する方向に限定すること
を特徴とする請求項１から請求項６のうち、いずれか一項に記載の通信装置。
【請求項８】
前記第２の通信部は、ＢＬＥ通信（ＢＬＥ：Bluetooth（登録商標） Low Energy）を用いること
を特徴とする請求項１から請求項７のうち、いずれか一項に記載の通信装置。
【請求項９】
前記第２の通信部は、前記第２の無線通信に音波を用いること
を特徴とする請求項１から請求項７のうち、いずれか一項に記載の通信装置。
【請求項１０】
第１の通信部が、第１の通信範囲内で第１の無線通信を行う第１の通信ステップと、
第２の通信部が、前記第１の通信範囲内であって、前記第１の通信範囲よりも狭い第２の通信範囲内で第２の無線通信を行う第２の通信ステップと、
送信部が、前記第１の無線通信の通信回線を確立するための設定情報を、前記第２の通信部を介して前記第１の通信範囲内に位置するデバイスに送信する送信ステップと、
確立部が、前記デバイスに送信した設定情報を用いて、前記デバイスとの間で前記第１の無線通信を行うための通信回線を確立する確立ステップとを有し、
前記第２の通信ステップは、前記デバイスとの間で前記第１の無線通信を行うための通信回線を確立後、前記通信回線に接続しているデバイスの位置に応じて、前記第２の通信範囲を調整すること
を特徴とする通信方法。
【請求項１１】
第１の通信範囲内で第１の無線通信を行う第１の通信部と、
前記第１の通信範囲内であって、前記第１の通信範囲よりも狭い第２の通信範囲内で第２の無線通信を行う第２の通信部と、
前記第１の無線通信の通信回線を確立するための設定情報を、前記第２の通信部を介して前記第１の通信範囲内に位置するデバイスに送信する送信部と、
前記デバイスに送信した設定情報を用いて、前記デバイスとの間で前記第１の無線通信を行うための通信回線を確立する確立部とを有し、
前記第２の通信部は、前記デバイスとの間で前記第１の無線通信を行うための通信回線を確立後、前記通信回線に接続しているデバイスの位置に応じて、前記第２の通信範囲を調整すること
を特徴とするシステム。
【請求項１２】
コンピュータを、
第１の通信範囲内で第１の無線通信を行う第１の通信部と、
前記第１の通信範囲内であって、前記第１の通信範囲よりも狭い第２の通信範囲内で第２の無線通信を行う第２の通信部と、
前記第１の無線通信の通信回線を確立するための設定情報を、前記第２の通信部を介して前記第１の通信範囲内に位置するデバイスに送信する送信部と、
前記デバイスに送信した設定情報を用いて、前記デバイスとの間で前記第１の無線通信を行うための通信回線を確立する確立部として機能させ、
前記第２の通信部は、前記デバイスとの間で前記第１の無線通信を行うための通信回線を確立後、前記通信回線に接続しているデバイスの位置に応じて、前記第２の通信範囲を調整すること
を特徴とするプログラム。
【発明の詳細な説明】
【技術分野】
【０００１】
本発明は、通信装置、通信方法、システム、およびプログラムに関する。
【背景技術】
【０００２】
今日において、ネットワークのアクセスポイントを介して、遠隔のコンピュータと電磁波による無線通信を可能とする無線ＬＡＮが知られている。ＬＡＮは、「Local  Area  Network」の略記である。無線ＬＡＮは、利便性の高いネットワークであり、広く普及している。また、無線ＬＡＮよりも通信範囲の狭い、ブルートゥース（登録商標）等の近距離無線通信も広く普及している。
【発明の概要】
【発明が解決しようとする課題】
【０００３】
ここで、無線ＬＡＮに代表される中程度の到達距離を持つ無線通信ネットワーク内において、ブルートゥース（登録商標）等の近距離無線通信を用いて無線ＬＡＮに対する接続許可を得る。そして、ブルートゥースの通信無線通信範囲内に限定して、無線ＬＡＮの使用を許可するアドホックな無線通信ネットワークを構築することを考える。
【０００４】
このようなアドホックな無線通信ネットワークを構築する場合において、近距離無線通信の通信範囲が必要以上に広くなると、意図しないデバイスが無線通信ネットワークに接続可能となり、アドホックな無線通信ネットワークのセキュリティレベルが低下することが懸念される。
【０００５】
本発明は、上述の課題に鑑みてなされたものであり、アドホックな無線通信ネットワークのセキュリティレベルを向上可能な通信装置、通信方法、システム、およびプログラムの提供を目的とする。
【課題を解決するための手段】
【０００６】
上述した課題を解決し、目的を達成するために、本発明は、第１の通信範囲内で第１の無線通信を行う第１の通信部と、第１の通信範囲内であって、第１の通信範囲よりも狭い第２の通信範囲内で第２の無線通信を行う第２の通信部と、第１の無線通信の通信回線を確立するための設定情報を、第２の通信部を介して第１の通信範囲内に位置するデバイスに送信する送信部と、デバイスに送信した設定情報を用いて、デバイスとの間で第１の無線通信を行うための通信回線を確立する確立部とを有し、第２の通信部は、デバイスとの間で第１の無線通信を行うための通信回線を確立後、通信回線に接続しているデバイスの位置に応じて、第２の通信範囲を調整する。
【発明の効果】
【０００７】
本発明によれば、アドホックな無線通信ネットワークのセキュリティレベルを向上させることができるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、基本構成となる無線ＬＡＮシステムにおいて、ＢＬＥ通信エリアの少なくとも一部が無線ＬＡＮ通信エリア外に位置する場合の一例を示すシステム構成図である。
【図１４】図１４は、実施の形態の無線ＬＡＮ通信システムのシステム構成図である。
【図１５】図１５は、距離に応じた通信範囲の調整動作の流れを示すフローチャートである。
【図１６】図１６は、デバイスの距離に応じてＢＬＥ通信エリアを縮小した例を示す図である。
【図１７】図１７は、デバイスにおける、ＢＬＥ通信部との間の距離の計測動作を説明するためおフローチャートである。
【図１８】図１８は、ビームフォーミング又は音波を利用してＢＬＥ通信エリアを縮小した例を示す図である。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うブルートゥース（登録商標）ＰＡＮを用いることができる。図１中、点線の楕円に示す通信範囲が、ブルートゥース（登録商標）ＰＡＮによるＢＬＥ通信エリア６である。なお、パーソナルエリアネットワークはブルートゥースＰＡＮであることとして説明を進める。しかし、ブルートゥースの代わりに、例えば非接触無線（NFC：Near  Field  Communications）、ミリ波無線通信、ＱＲコード（登録商標）、可視光、環境音、又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。無線ＬＡＮＡＰ部１６は、第１の通信部の一例である。ＢＬＥ通信部１７は、第２の通信部の一例である。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、各デバイスの内部に組み込まれていてもよい。例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）で実現してもよいし、一部または全部をハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２、ＢＬＥ通信制御部８３としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機（自装置）の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置４）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
以上、無線ＬＡＮ通信エリア内にＢＬＥ通信エリアが無線ＬＡＮ通信エリアに包含されている例を示したが、例えば、図１３に示すように、ＢＬＥ通信エリアの少なくとも一部の領域が無線ＬＡＮ通信エリア外に位置する状態であってもよい。図１３において、無線ＬＡＮ通信回線を確立できるエリアは、ＢＬＥ通信エリア６’となる。無線ＬＡＮ通信エリア外のＢＬＥ通信エリア７では、ＢＬＥ通信により通信範囲情報を受信可能であるが、そもそも無線ＬＡＮ通信を行うためのセットアップができないためである。図１３に示すような状態は、例えば、無線ＬＡＮＡＰ部１６とＢＬＥ通信部１７が異なる位置に配置されている場合や、通信の指向性により通信可能範囲が一方向に突出しているような場合に考えられる。
【００６３】
（実施の形態）
次に、このような基本構成を有する無線ＬＡＮ通信システムの実施の形態を説明する。図１４は、実施の形態の無線ＬＡＮ通信システムのシステム構成図である。この図１４において、第１の通信範囲である無線ＬＡＮ通信エリア５は、通信範囲制御装置１の無線ＬＡＮＡＰ部１６によって形成される。また、第２の通信範囲であるＢＬＥ通信エリア６は、ＢＬＥ通信部１７で形成される。
【００６４】
ＢＬＥ通信エリア６は、無線ＬＡＮ通信エリア５よりも狭く包含関係にある。ＢＬＥ通信エリア６内には、例えばスマートフォン２又はプリンタ装置３等のデバイス１０１及びデバイス１０２が存在している。また、図１４は、無線ＬＡＮ通信エリア５及びＢＬＥ通信エリア６内に位置していないデバイス１０３が、図中、矢印で示すようにＢＬＥ通信エリア６内へ移動する状態を示している。また、ＢＬＥ通信エリア６内のデバイス１０１及びデバイス１０２に対してのみ、ＢＬＥ通信部１７のＢＬＥ通信回線が確立され、デバイス１０３に対しては、無線ＬＡＮ通信は確立できないことは上述のとおりである。
【００６５】
このような状態において、デバイス１０１及びデバイス１０２と、ＢＬＥ通信部１７との位置（または距離）は、それぞれ異なる視点で計測しているものとする。デバイス１０１は、自身を起点にＢＬＥ通信部１７との位置（または距離）１１１を計測する。また、デバイス１１２は、ＢＬＥ通信部１７を起点にした自身の位置（または距離）１１２を計測する。しかし、得られる情報は共にＢＬＥ通信部１７からの距離であり、距離計測の起点は特に限定しない。
【００６６】
図１５は、距離に応じた通信範囲の調整動作の流れを示すフローチャートである。ここでは、各デバイス１０１〜１０２の位置に応じて、ＢＬＥ通信エリア６を調整する例を説明する。なお、デバイス１０１〜１０２の位置情報は、各デバイス１０１〜１０２を起点とした距離情報としている。また、図１５のフローチャートにおけるスタートの条件（処理開始条件）は、図１４の状態とし、デバイス１０１及びデバイス１０２は、通信範囲制限装置１との間で、無線ＬＡＮ通信回線が確立されているとする。
【００６７】
まず、デバイス１０１及びデバイス１０２は、自身が保持しているＢＬＥ通信部１７との間の距離情報を、ＢＬＥ通信部１７に送信する（ステップＳ６１）。具体的には、デバイス１０１は、図１６に示す通信範囲１１１に相当する距離情報をＢＬＥ通信部１７に送信する。また、デバイス１０２は、図１６に示す通信範囲１１２に相当する距離情報をＢＬＥ通信部１７に送信する。
【００６８】
次に、ＢＬＥ通信部１７は、ステップＳ１で取得した通信範囲１１１及び通信範囲１１２に相当するデバイス１０１及びデバイス１０２の各距離情報を用いて、最も遠い位置に存在するデバイス（最遠デバイス）を特定する（ステップＳ６２）。
【００６９】
次に、ＢＬＥ通信部１７は、ステップＳ６２で特定した最遠デバイスの距離に合わせて、ＢＬＥ通信エリア６を縮小させる（ステップＳ６３）。図１４は、縮小前のＢＬＥ通信エリア６を示しており、図１６は、縮小後のＢＬＥ通信エリア６を示している。最遠デバイスの距離に合わせて、ＢＬＥ通信エリア６を縮小させることで、ＢＬＥ通信エリア６を、デバイス１０１及びデバイス１０２のみが包含される最小のＢＬＥ通信エリア６を設定できる。一例として、ＢＬＥ通信エリア６の設定は、ＢＬＥ通信部１７の送信電力を調整することによって行うことができる。
【００７０】
図１４の例の場合、デバイス１０３の移動により、無線ＬＡＮ通信回線の確立が可能であった。しかし、図１６の例のように、ＢＬＥ通信エリア６を縮小することで、デバイス１０３の移動により、無線ＬＡＮ通信回線が確立する不都合を防止できる。このため、アドホックな無線通信ネットワークの確立後、不要又は意図しないデバイスの接続を防止でき、実施の形態の無線ＬＡＮ通信システムのセキュリティを向上させることができる。このようなＢＬＥ通信エリア６を変更制御は、例えばデバイス１０１及びデバイス１０２が無線ＬＡＮ通信回線を確立した後、以降のデバイスの接続を抑制したい場合等に有効である。なお、この例では、ＢＬＥ通信エリア６を縮小することとしたが、ＢＬＥ通信エリア６を拡大してもよい。
【００７１】
次に、図１７のフローチャートを用いて、デバイス１０１及びデバイス１０２における、ＢＬＥ通信部１７との間の距離計測動作を説明する。図１７のフローチャートに示す処理は、通信範囲制限装置１のＲＯＭ１２又はスマートフォン２等のデバイスのＲＯＭ２２等の記憶部に記憶された通信制御プログラムを、ＣＰＵ１１又はＣＰＵ２１が実行することで実現される。図１７のフローチャートに示す処理は、ソフトウェアで実現してもよいし、ハードウェアで実現してもよい。
【００７２】
また、通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリ等のコンピュータ装置で読み取り可能な記録媒体に記録して提供してもよい。ＤＶＤは、「Digital  Versatile  Disk」の略記である。また、通信制御プログラムは、インターネット等のネットワーク経由でインストールするかたちで提供してもよい。また、通信制御プログラムは、機器内のＲＯＭ等に予め組み込んで提供してもよい。
【００７３】
ＢＬＥ（Bluetooth（登録商標）  Low  Energy）は、ブルートゥース（登録商標）の規格の１つである。ＢＬＥは、ブルートゥース（登録商標）４．０未満の通常のブルートゥース（登録商標）とは異なり、ペアリング（認証及び暗号化）が必須ではなく、未接続でのブロードキャスト（不特定多数にデータを送信する）が可能となっている。
【００７４】
図１７のフローチャートにおいては、ブロードキャストをアドバタイズ、ブロードキャストされるデータをアドバタイズデータと称している。ＢＬＥのアドバタイズ機能によって、各デバイス１０１、１０２は、容易にＢＬＥ通信部１７の送信電力データを取得できる。各デバイス１０１、１０２は、取得した送信電力データを用いて、図１７のフローチャートの流れで、ＢＬＥ通信部１７との間の距離を計測する。
【００７５】
具体的には、ＢＬＥ通信部１７は、自身の送信電力データをアドバタイズする（ステップＳ７１）。デバイス１０１及びデバイス１０２は、アドバタイズデータを受信し、ＢＬＥ通信部１７の送信電力と各デバイス１０１、１０２自身の受信電力（受信強度）から、ＢＬＥ通信部１７からの距離を推定する（ステップＳ７２）。
【００７６】
各デバイス１０１、１０２は、自身が保持しているＢＬＥ通信部１７との距離情報をＢＬＥ通信部１７へ送信する（ステップＳ７３）。この際、ＢＬＥ通信によるコネクション又はペアリングを実行した後、ＢＬＥのデータ通信で距離情報を送信しても良い。
【００７７】
ＢＬＥ通信部１７は、各デバイス１０１、１０２から得られた距離情報から最遠デバイスでの受信電力を閾値として、各デバイス１０１、１０２に通知する。これにより、容易にＢＬＥ通信エリア６を調整できる。
【００７８】
また、ＢＬＥ通信エリア６は、ＢＬＥ通信部１７が中心となる。このため、上述のようにＢＬＥ通信部１７の位置を基準とすることで、位置特定の処理を単純化できる。また、各デバイス１０１、１０２で距離計測することで、ＢＬＥ通信部１７の演算処理の負荷を各デバイス１０１、１０２に分散して軽減できる。
【００７９】
なお、ＢＬＥ通信部１７で各デバイス１０１、１０２の距離計測を行う場合は、上述のステップＳ７１〜ステップＳ７３と同様に、例えば各デバイス１０１、１０２が送信電力データをアドバタイズし、ＢＬＥ通信部１７が、受信電力（受信強度）から各デバイス１０１、１０２との距離を推定する。この場合、ＢＬＥ通信部１７が、直接的に各デバイス１０１、１０２の位置判別を行うため、位置情報取得処理にようする負担を軽減できる。
【００８０】
（実施の形態の変形例）
次に、実施の形態の無線ＬＡＮシステムの変形例として、図１８に、ビームフォーミング又は音波を利用した例を示す。ビームフォーミングは、アンテナの位相制御等により、電波を必要な角度及び方向に伝達させ、他の範囲へは伝達させない技術である。図１８の例は、各デバイス１０１、１０２の位置データを取得し、取得した位置データに基づいて、ＢＬＥ通信エリア６を調整した後の図である。
【００８１】
この図１８と図１４とを比較すると、デバイス１０１及びデバイス１０２のみがＢＬＥ通信エリア６内に位置する状態は同じである。しかし、ビームフォーミング又は音波を利用することで、図１８に示すように、ＢＬＥ通信エリア６の範囲を、より小さな範囲とすることができる。
【００８２】
このような変形例の無線ＬＡＮシステムの場合、アドホックな無線通信ネットワークの確立後、より確実に不要又は意図しないデバイスの接続を防止でき、アドホックな無線通信ネットワークのセキュリティをさらに向上させることができる。
【００８３】
また、ビームフォーミングと同様に音波（特に超音波）も指向性が強く、スピーカ正面では送信エネルギーがその方向に集中され、それ以外の方向では干渉により、相対的にエネルギーが低減する。超音波では特にその傾向が強くなる。従って、上述と同様の効果を得ることができる。
【００８４】
（実施の形態の効果）
以上の説明から明らかなように、実施の形態の無線ＬＡＮ通信システムは、既にアドホック無線通信ネットワークに接続しているデバイスの位置に応じて、通信範囲の調整を行う。このため、所望のデバイスのみをアドホックな無線通信ネットワークに接続し、無線通信ネットワークのセキュリティレベルを向上させることができる。
【００８５】
上述の実施の形態は、例として提示したものであり、本発明の範囲を限定することは意図していない。この新規な実施の形態は、その他の様々な形態で実施されることが可能である。また、発明の要旨を逸脱しない範囲で、種々の省略、置き換え、変更を行うことも可能である。実施の形態及び実施の形態の変形は、発明の範囲や要旨に含まれると共に、特許請求の範囲に記載された発明とその均等の範囲に含まれる。
【符号の説明】
【００８６】
１  通信範囲制限装置
２  スマートフォン
３  プリンタ装置
４  プロジェクタ装置
５  無線ＬＡＮ通信エリア
６  ＢＬＥ通信エリア
６’  ＢＬＥ通信エリア
７  無線ＬＡＮ通信不可エリア
１５  入出力Ｉ／Ｆ
１６  無線ＬＡＮＡＰ部
１７  ＢＬＥ通信部
３１  無線ＬＡＮ通信部
３２  ＢＬＥ通信部
４７  無線ＬＡＮ通信部
４８  ＢＬＥ通信部
７５  デバイス接続部
７６  周辺機器接続部
７７  離脱検知部
７８  無線ＬＡＮＡＰ制御部
７９  ＢＬＥ通信制御部
８１  印刷依頼部
８２  無線ＬＡＮ通信制御部
８３  ＢＬＥ通信制御部
８５  印刷部
８６  無線ＬＡＮ通信制御部
８７  ＢＬＥ通信制御部
１０１  デバイス
１０２  デバイス
１０３  デバイス
１１１  通信範囲
１１２  通信範囲
【先行技術文献】
【特許文献】
【００８７】
【特許文献１】特開２０１３−１２８１６２号公報
【図１】
2017041753.tif 000003
【図２】
2017041753.tif 000004
【図３】
2017041753.tif 000005
【図４】
2017041753.tif 000006
【図５】
2017041753.tif 000007
【図６】
2017041753.tif 000008
【図７】
2017041753.tif 000009
【図８】
2017041753.tif 000010
【図９】
2017041753.tif 000011
【図１０】
2017041753.tif 000012
【図１１】
2017041753.tif 000013
【図１２】
2017041753.tif 000014
【図１３】
2017041753.tif 000015
【図１４】
2017041753.tif 000016
【図１５】
2017041753.tif 000017
【図１６】
2017041753.tif 000018
【図１７】
2017041753.tif 000019
【図１８】
2017041753.tif 000020